(57)【要約】      （修正有）【課題】香水の香りを楽しめて消費者の購買欲求を十分に満たすことができる、タッチペンを提供する。【解決手段】ペン本体１と、ペン本体１の先端に連結された香水保持部２と、香水保持部の先端に連結されたペン先３と、を備えている。香水保持部２が、管体２１と、管体２１内に収納された綿２３と、からなっており、管体２１が、内外を連通させる少なくとも１つの貫通孔２１０を有しており、綿２３が、香水を保持している。【選択図】図２
0003184936.tif 000002
【実用新案登録請求の範囲】
【請求項１】
ペン本体と、
前記ペン本体の先端に連結された香水保持部と、
前記香水保持部の先端に連結されたペン先と、
を備えており、
前記香水保持部が、
管体と、前記管体内に収納された保持材と、からなっており、
前記管体が、内外を連通させる少なくとも１つの貫通孔を有しており、
前記保持材が、香水を保持している、
ことを特徴とする、タッチペン。
【請求項２】
前記ペン先が、固定軸によって前記管体に固定されている、
請求項１に記載のタッチペン。
【請求項３】
前記管体の末端が、前記ペン本体の先端に螺合されており、それによって、前記香水保持部が、前記ペン本体に対して脱着可能となっている、
請求項１又は２に記載のタッチペン。
【請求項４】
前記保持材が、綿である、
請求項１〜３のいずれか１つに記載のタッチペン。
【請求項５】
前記貫通孔が、前記管体において、周方向に等間隔で、２個以上形成されている、
請求項１〜４のいずれか１つに記載のタッチペン。
【請求項６】
前記貫通孔が、前記管体の外面全面に渡って分布するように、２個以上形成されている、
請求項１〜５のいずれか１つに記載のタッチペン。
【考案の詳細な説明】
【技術分野】
【０００１】
本考案は、主としてタッチパネル等に対するポインティングデバイスとして使用される、タッチペンに関する。
【背景技術】
【０００２】
従来のタッチペンは、例えば、特許文献１等に示されている。
【先行技術文献】
【特許文献】
【０００３】
【特許文献１】特開２０１３−７７１０５号公報
【考案の概要】
【考案が解決しようとする課題】
【０００４】
従来のタッチペンは、タッチパネル等に対するタッチペンとして使用されるだけであり、その他の機能や用途を有してはいない。それ故、従来のタッチペンは、ユニークなデザインや機能を求める現代の消費者の購買欲求を、十分には満たすことができなかった。
【０００５】
本考案の目的は、タッチペンとしての機能だけでなくその他の付加的機能も備えることによって、消費者の購買欲求を十分に満たすことができる、タッチペンを、提供することである。
【課題を解決するための手段】
【０００６】
ところで、近年では、香水やアロマオイルの香りが人に与える心理的効果が、注目されている。これらの香りは、ストレスの発散や気分転換の一助となることが知られている。
【０００７】
本考案のタッチペンは、ペン本体と、前記ペン本体の先端に連結された香水保持部と、前記香水保持部の先端に連結されたペン先と、備えており、前記香水保持部が、管体と、前記管体内に収納された保持材と、からなっており、前記管体が、内外を連通させる少なくとも１つの貫通孔を有しており、前記保持材が、香水を保持している、ことを特徴としている。
【０００８】
また、本考案のタッチペンは、次の構成（Ａ）〜（Ｅ）を単独で又は組み合わせて採用するのが好ましい。
（Ａ）前記ペン先が、固定軸によって前記管体に固定されている。
（Ｂ）前記管体の末端が、前記ペン本体の先端に螺合されており、それによって、前記香水保持部が、前記ペン本体に対して脱着可能となっている。
（Ｃ）前記保持材が、綿である。
（Ｄ）前記貫通孔が、前記管体において、周方向に等間隔で、２個以上形成されている。
（Ｅ）前記貫通孔が、前記管体の外面全面に渡って分布するように、２個以上形成されている。
【考案の効果】
【０００９】
本考案のタッチペンにおいては、保持材に保持されている香水が、揮発して、貫通孔を通って、外部に放出される。したがって、本考案のタッチペンによれば、タッチペンとして使用できるだけでなく、香水の香りを楽しむこともでき、それ故、消費者の購買欲求を十分に満たすことができる。
【００１０】
上記構成（Ａ）によれば、ペン先を固定軸によって香水保持部に確実に固定できる。したがって、ペン先が香水保持部から脱落するのを防止できる。よって、タッチペンとしての使用に支障が生じるのを、防止できる。
【００１１】
上記構成（Ｂ）によれば、ペン本体から香水保持部を取り外して、香水保持部内の保持材に香水を補充できる。したがって、香水の香りを長期に渡って楽しむことができる。
【００１２】
上記構成（Ｃ）によれば、保持材が、綿の優れた吸湿性によって、多量の香水を保持できる。したがって、香水の香りを長期に渡って楽しむことができる。
【００１３】
上記構成（Ｄ）によれば、香水の香りを周囲に均等に放出できる。したがって、常に安定した香りを楽しむことができる。
【００１４】
上記構成（Ｅ）によれば、タッチペンを指で把持して使用する際においても、指で塞がれない貫通孔が香水保持部に存在することとなるので、香水の香りを常に放出できる。
【図面の簡単な説明】
【００１５】
【図１】本考案の一実施形態のタッチペンを示す外観図である。
【図２】図１のタッチペンの断面図である。
【図３】上記タッチペンの変形例の香水保持部の拡大図である。
【考案を実施するための形態】
【００１６】
図１は、本考案の一実施形態のタッチペンを示す外観図である。図２は、図１のタッチペンの断面図である。このタッチペン１０は、ペン本体１と、ペン本体１の先端１Ａに連結された香水保持部２と、香水保持部２の先端２Ａに連結されたペン先３と、を備えている。
【００１７】
ペン本体１は、細長い円筒状の形態を有している。ペン本体１の末端１Ｂは、略円錐台形状の蓋体１１で封止されている。ペン本体１の先端１Ａの内面１２には、ねじ（図示せず）が形成されている。ペン本体１は、例えば、ポリカーボネートからなる円筒体の表面にアルミニウムが蒸着されて構成されている。
【００１８】
香水保持部２は、断面円形の管体２１と、管体２１内に収納された保持材２３と、からなっている。管体２１は、先端部２１１と本体部２１２と末端部２１３とからなっている。末端部２１３は、ペン本体１の先端１Ａ内に螺嵌する外径を、有している。末端部２１３の外面２１３１には、ペン本体１の先端１Ａの内面１２に形成されたねじに螺合するねじ（図示せず）が、形成されており、これによって、香水保持部２は、ペン本体１に対して脱着可能となっている。本体部２１２は、ペン本体１と略同等の外径を、有している。末端部２１３の内径は、本体部２１２の内径より小さくなっている。先端部２１１は、先端に向けて外径が小さくなるように形成されたテーパ管部２１１１と細管部２１１２とからなっている。香水保持部２は、例えば、アルミニウムでできている。
【００１９】
例えば、具体的には、管体２１の長さは２０ｍｍであり、細管部２１１２の外径は７ｍｍである。
【００２０】
管体２１の本体部２１２には、内外を連通させる貫通孔２１０が形成されている。貫通孔２１０の、個数、配置、及び開口径は、任意に設定されるが、ここでは、貫通孔２１０は、先端部２１１の近傍に、本体部２１２の周方向に等間隔で、３個形成されている。
【００２１】
保持材２３は、例えば、綿である。保持材２３は、略円柱状の形態を有しており、香水を保持する前は末端部２１３を通り抜けることができ且つ香水を保持することによって膨潤すると末端部２１３を通り抜けることができない、寸法に、形成されている。
【００２２】
ペン先３は、先端面３Ａが球面状を有している中空体である。ペン先３は、例えば、ナイロン樹脂でできている。ペン先３の末端面３Ｂは、固定軸４に固定されている。
【００２３】
固定軸４は、第１円柱部４１と第２円柱部４２と連結部４３とからなっている。第２円柱部４２の外径は、第１円柱部４１よりも小さくなっている。連結部４３は、第１円柱部４１と第２円柱部４２とを連結している。そして、ペン先３の末端面３Ｂが、第１円柱部４１と第２円柱部４２とによって挟持されており、これによって、ペン先３は固定軸４に固定されている。
【００２４】
固定軸４は、ペン先３が固定された状態で、管体２１の先端部２１１内に嵌合されている。これにより、ペン先３が、香水保持部２の先端２Ａに連結されている。
【００２５】
上記構成のタッチペン１０において、香水の保持作業又は補充作業は、次のように行う。まず、ペン本体１に対して香水保持部２を回動させて、管体２１の末端部２１３とペン本体１の先端１Ａとの螺合を解き、ペン本体１から香水保持部２を取り外す。次に、香水保持部２の末端部２１３から、本体部２１２内の保持材２３に、香水を注入する。これにより、香水が保持材２３に保持される。そして、再び、香水保持部２をペン本体１に取り付ける。
【００２６】
上記構成のタッチペン１０によれば、次のような効果を発揮できる。
【００２７】
（１）保持材２３に保持されている香水が、揮発して、貫通孔２１０を通って、外部に放出される。したがって、タッチペンとして使用できるだけでなく、香水の香りを楽しむこともでき、それ故、消費者の購買欲求を満たすことができる。
【００２８】
（２）ペン先３を固定軸４によって香水保持部２に確実に固定できる。したがって、ペン先３が香水保持部２から脱落するのを防止できる。よって、タッチペンとしての使用に支障が生じるのを、防止できる。
【００２９】
（３）ペン本体１から香水保持部２を取り外して、香水保持部２内の保持材２３に香水を補充できる。したがって、香水の香りを長期に渡って楽しむことができる。
【００３０】
（４）保持材２３が、綿の優れた吸湿性によって、多量の香水を保持できる。したがって、香水の香りを長期に渡って楽しむことができる。
【００３１】
（５）管体２１において、貫通孔２１０が周方向に等間隔で３個形成されているので、香水の香りを周囲に均等に放出できる。したがって、常に安定した香りを楽しむことができる。
【００３２】
（６）ペン本体１、香水保持部２、及びペン先３が、内部に空洞を有しているので、タッチペン１０を軽量化できる。
【００３３】
［変形例］
（ａ）貫通孔２１０は、図３に示すように、管体２１の外面全面に渡って分布するように、２個以上形成してもよい。これによれば、タッチペン１０を指で把持して使用する際においても、指で塞がれない貫通孔２１０が香水保持部２に存在することとなるので、香水の香りを常に放出できる。
（ｂ）ペン本体１は、ポリカーボネート及びアルミニウムに限るものではなく、他の樹脂及び導電性材料で構成してもよい。
（ｃ）ペン本体１と蓋体１１とは、別体として形成してもよく、又は、一体に形成してもよい。
（ｄ）香水保持部２は、アルミニウムに限らず、他の軽金属材料で構成してもよい。
（ｅ）香水保持部２の管体２１は、その外径が先端に向けて小さくなる形状を、有してもよい。
（ｆ）貫通孔２１０は、１つでもよい。
（ｇ）保持材２３は、綿に限るものではなく、香水を保持できるならば、他の材料でもよい。
（ｈ）ペン先３は、ナイロン樹脂に限らず、他の導電性樹脂で構成してもよい。
（ｉ）ペン本体１、香水保持部２、又はペン先３は、内部に空洞を有していなくてもよい。
【符号の説明】
【００３４】
１  ペン本体
２  香水保持部
３  ペン先
４  固定軸
１０  タッチペン
１１  蓋体
１２  内面
２１  管体
２３  綿
２４  突出部
４１  第１円柱部
４２  第２円柱部
４３  連結部
２１０  貫通孔
２１１  先端部
２１２  本体部
２１３  末端部
２１１１  テーパ管部
２１１２  細管部
２１３１  外面
【図１】
0003184936.tif 000003
【図２】
0003184936.tif 000004
【図３】
0003184936.tif 000005